(57)【要約】  本発明は、プライマリ局と少なくとも１つのセカンダリ局との間で通信するための方法に関し、当該方法は、(a)セカンダリ局が、第１構成のサーチ空間をサーチするように設定され、前記サーチ空間は複数のリソース・セットを有し、少なくとも１つのリソース・セットは、セカンダリ局にメッセージを送信するために用いられることができ、(b)第２構成のサーチ空間をサーチするように設定メッセージによってセカンダリ局を設定し、(c)セカンダリ局は、設定メッセージの受信に応じて、セカンダリ局が第１構成のサーチ空間及び第２設定のサーチ空間を部分的にサーチする過渡的な設定モードに入る。
2013524668.tif 000002
【特許請求の範囲】
【請求項１】
プライマリ局と少なくとも１つのセカンダリ局との間で通信するための方法であって、
（ａ）前記セカンダリ局が、第１構成のサーチ空間をサーチするように設定され、前記サーチ空間は、複数のリソース・セット及び制御メッセージ・フォーマットを有し、少なくとも１つのリソース・セット及び制御メッセージ・フォーマットは、前記セカンダリ局に制御メッセージを送信するために用いられることができ、
（ｂ）第２構成のサーチ空間をサーチするように設定メッセージによって前記セカンダリ局を設定し、
（ｃ）前記セカンダリ局は、前記制御メッセージの受信に応じて、前記セカンダリ局が前記第1構成のサーチ空間を部分的にサーチし前記第２構成のサーチ空間を部分的にサーチする過渡的な設定モードに入る、方法。
【請求項２】
前記過渡的な設定モードが予め定められた継続期間である、請求項１に記載の方法。
【請求項３】
前記過渡的な設定モードは、前記セカンダリ局が、前記第２構成のサーチ空間において、当該セカンダリ局にアドレス指定された制御メッセージを見つけたときに終了する、請求項１に記載の方法。
【請求項４】
前記過渡的な設定モードは、前記セカンダリ局が、前記第２構成のサーチ空間の使用を確認するメッセージを受信したときに終了する、請求項１に記載の方法。
【請求項５】
前記過渡的な設定モードにおいて、前記セカンダリ局が、サブフレームの第１サブセットにおいて前記第１構成のサーチ空間をサーチする、請求項１に記載の方法。
【請求項６】
前記過渡的な設定モードにおいて、前記セカンダリ局が、サブフレームの前記第1サブセットに含まれないサブフレームの第２サブセットにおいて前記第２構成のサーチ空間をサーチする、請求項５に記載の方法。
【請求項７】
サブフレームの前記第1サブセット又はサブフレームの前記第２セットの少なくとも１つが、全ての奇数番号のサブフレーム、全ての偶数番号のサブフレーム、ｍ個のサブフレームのうちｎ個に１つのサブフレーム（ｍ及びｎは正の整数）、のうちの少なくとも１つである、請求項５又は請求項６に記載の方法。
【請求項８】
前記過渡的な設定モードにおいて、前記セカンダリ局が、前記第１構成のサーチ空間のうちの第１部分のみをサーチする、請求項１から請求項７のいずれか一項に記載の方法。
【請求項９】
前記過渡的な設定モードにおいて、前記セカンダリ局が、前記第２構成のサーチ空間のうちの第２部分のみをサーチする、請求項１から請求項８のいずれか一項に記載の方法。
【請求項１０】
前記第１サーチ空間の前記第１部分が、前記第２構成のサーチ空間の前記第２部分と重複しない、請求項８に従属する請求項９に記載の方法。
【請求項１１】
前記部分が高次レイヤのシグナリングによって設定される、請求項８から請求項１０のいずれか一項に記載の方法。
【請求項１２】
前記設定メッセージが高次レイヤのシグナリングによって送信される、請求項１から請求項１１のいずれか一項に記載の方法。
【請求項１３】
前記セカンダリ局が、前記過渡的な設定モードにおいて部分的に前記第２構成を用いる、請求項１から請求項１２のいずれか一項に記載の方法。
【請求項１４】
前記過渡的な設定モードの間、キャリア・インジケータ・フラグが前記第２構成に従って用いられる、請求項１３に記載の方法。
【請求項１５】
前記過渡的な設定モードは、前記セカンダリ局により肯定応答メッセージが送信されたときに終了し、前記肯定応答メッセージは、前記設定メッセージの受信の肯定応答又は前記再設定の実施のうちの１つ以上を示す、請求項１から請求項１４のいずれか一項に記載の方法。
【請求項１６】
プライマリ局と通信するための手段を有するセカンダリ局であって、当該セカンダリ局は、第１構成のサーチ空間をサーチするように設定され、前記サーチ空間は、複数のリソース・セット及び制御メッセージ・フォーマットを有し、少なくとも１つのリソース・セット及び制御メッセージ・フォーマットが前記セカンダリ局に制御メッセージを送信するために用いられることができ、当該セカンダリ局はさらに、
第２構成のサーチ空間をサーチするように前記セカンダリ局を設定するための設定メッセージを受信するための受信機、
前記設定メッセージの受信に応じて、当該セカンダリ局が前記第１構成のサーチ空間を部分的にサーチし前記第２構成のサーチ空間を部分的にサーチする過渡的な設定モードに入るように前記セカンダリ局を設定するための制御手段、
を有するセカンダリ局。
【請求項１７】
少なくとも１つのセカンダリ局と通信するための手段を有するプライマリ局であって、
第１構成のサーチ空間をサーチするように前記セカンダリ局を設定するためのコントローラを有し、前記サーチ空間は、複数のリソース・セット及び制御メッセージ・フォーマットを有し、少なくとも１つのリソース・セット及び制御メッセージ・フォーマットが前記セカンダリ局に制御メッセージを送信するために用いられることができ、当該プライマリ局はさらに、
第２構成のサーチ空間をサーチすることを前記セカンダリ局に要求する設定メッセージを送信するための送信手段を有し、
前記コントローラは、前記第１構成のサーチ空間が部分的に使用され前記第２構成のサーチ空間が部分的に使用される過渡的な設定モードに入るように前記設定メッセージの送信後に当該プライマリ局を設定するように用意される、プライマリ局。
【発明の詳細な説明】
【技術分野】
【０００１】
本発明は、ネットワークにおいて通信するための方法に関する。具体的には、本発明は、セルラ通信ネットワーク(例えばUMTS、GSM（登録商標）)のような通信ネットワークにおけるプライマリ局とセカンダリ局との間の通信に関する。
【背景技術】
【０００２】
UMTS LTEにおいて、ダウンリンク制御チャネルPDCCH(Physical Downlink Control Channel：物理ダウンリンク制御チャネル)は、アップリンク又はダウンリンク送信のためのリソース割り当てのような情報を伝達する。PDCCHメッセージは、CCE集合レベル（aggregation level）1、2、4又は8と呼ばれる1、2、4又は8つのチャネル制御要素(CCE又はリソース要素)を用いることができる。PDCCHメッセージは、(例えば、情報ビットの数及びチャネル符号化レートのような異なる信号特性をもつ)利用可能なメッセージ・フォーマットのセットのうちの１つを用いて送信されることができる。それぞれのフォーマットは、LTE規格において、「DCIフォーマット」と呼ばれる。更に、PDCCHメッセージのそれぞれの宛先又は目的は、メッセージCRCに適用される異なるスクランブリング・シーケンスによって示されることができる(LTE規格において、異なるスクランブリング・シーケンスは、RNTIと呼ばれる異なる識別に対応する)。それぞれのRNTIは、複数のUEによる受信を対象とするCommon PDCCHメッセージから、特定のUEを対象とするUE固有のPDCCHメッセージを区別するために用いられる。複数のUEによる受信を対象とするPDCCHメッセージの場合、これは、UEの定められたグループ又は任意のUEを対象とすることができる。
【０００３】
LTEにおけるUEのようなモバイル局は、それを対象とするメッセージのCCE空間中の位置は前もっては分からない。原則として、モバイル局は、CCE空間中の異なる開始位置で全ての考えられるPDCCHを盲目的に復号することを試みることができ、したがって、そのモバイル局を対象とする任意のメッセージを受信することができる。しかしながら、CCE空間が大きい場合、処理の複雑度は極端に高い。したがって、複数のサーチ空間から成るより制限されたサーチが設定される。UEは、更なるDCIフォーマットのうちの１つを有するメッセージについて所与のサーチ空間をサーチすることができる。説明を簡潔にするために、我々は、UE固有のサーチ空間中の１つのDCIフォーマット及び１つのRNTIのみを考慮する場合があるが、同じ議論は、複数のDCIフォーマット、複数のRNTI並びにUE固有の及び共通のサーチ空間に適用可能である。
【０００４】
サーチ空間は、特定の集合レベルを有する１セットの集合CCEであり、そのなかで、モバイル局(あるいは、ユーザ機器(UE)又はセカンダリ局)は、その集合レベルに対して送信される可能性があると仮定する全てのPDCCHペイロード(DCIフォーマット及びRNTI)のブラインド復号を実行する。送信される可能性があるとUEが仮定するPDCCHペイロードのセットは、LTE規格によって定められる全ての可能なPDCCHペイロードのサブセットであることができる。サーチ空間は、集合レベルごとに定められ、セカンダリ局は、したがって、最高４つのサーチ空間を有する可能性がある。例えば、(1-CCEと呼ばれる)集合レベル1のためのUEのサーチ空間は、3,4,5,6,7,8とインデックスを付けられたCCEから成ることができ、一方、集合レベル8のためのそのサーチ空間は、それぞれ1,2,..8及び9,10,..16によってインデックスを付けられたCCEから成る集合CCEの２つのリソース・セットから成ることができる。この例では、UEは、1-CCEのための6つのブラインド復号及び8-CCEのための２つのブラインド復号を実行する。
【０００５】
LTE規格は、現在、単一キャリア上のUE固有のPDCCHメッセージのために設計されるサーチ空間(すなわちUE固有のサーチ空間(UESSS))においてUEが以下を実行することを要求する。
■1-CCE集合の6回の復号試行
■2-CCE集合の6回の復号試行
■4-CCE集合の2回の復号試行
■8-CCE集合の2回の復号試行
さらに、UEは、単一キャリア上の共通PDCCHメッセージのために設計されるサーチ空間(すなわち共通サーチ空間)において以下を実行することを要求される。
■4-CCE集合の4回の復号試行
■8-CCE集合の2回の復号試行
【０００６】
図1に表される従来の無線システムにおいて、プライマリ局100は、複数のセカンダリ局110とデータを交換する。そのデータを送信するために、プライマリ局100は、ダウンリンク・データ・チャネル101上でそのデータを送信する。このダウンリンク・データ・チャネルは、いくつかの基準(例えばサービス品質、干渉、ダウンリンク・チャネル品質)に応じて時間を通じて調節されることができる。これらの変更をセカンダリ局110に通知するために、プライマリ局100は、ダウンリンク制御チャネル102上でセカンダリ局110に制御データ(又はシグナリング)を送信する。同様に、セカンダリ局110は、アップリンク制御チャネル111上でそれらのデータを送信する。さらに、アップリンク制御チャネル112は、送信のためのリソースを要求するため、及び/又は、プライマリ局にダウンリンク送信に関する若しくはチャネル品質状態に関するフィードバックを提供するために、セカンダリ局によって用いられる。
【０００７】
UMTS LTE(Long Term Evolution)又はLTE Advancedのようなモバイル通信システムのように、多くの無線システムにおいて、データ・チャネル101又は111にデータがマップされる特定の時間-周波数送信リソース及びそのデータのために使用される送信スキーム(すなわち、データ自体が送信されるフォーマット/モード)を示すように、制御チャネル102又は112上でシグナリングが提供される。更に、セカンダリ局は、適切な送信リソース及び送信スキームを用いて適切なセカンダリ局に送信をスケジューリングする際にプライマリ局を援助することを目的とするチャネル状態フィードバックを提供することができる。したがって、一般に、送信モードは、プライマリ局によって使用される送信スキームとセカンダリ局によって提供されるフィードバックのタイプとの一方又は両方によって定められることができる。
【０００８】
UMTS LTEダウンリンク通信に対して、リソース割り当て及び伝送フォーマット情報を含む重要なダウンリンク制御チャネル101は、物理ダウンリンク制御チャネル(Physical Downlink Control Channel：PDCCH)として知られる。PDCCHが伝えるメッセージは、ダウリンク制御チャネル情報（Downlink Control Channel Information：DCI)として知られる。異なる送信モードのためのリソース割り当ては、一般的に、異なるDCIフォーマットを用いて示される。セカンダリ局(ここでは、使用者機器又はUE)は、可能なセットからの限られた数の異なるDCIフォーマットを受信するように構成される。したがって、PDCCHにおいてUEによって予想されるDCIフォーマットのタイプを設定することは、セカンダリ局によって予想される可能性がある送信モードを直接的に制御し、特定の送信モードは、リソース割り当てのために使用される特定のDCIフォーマットによって通知される。DCIフォーマット・コンテンツも同様に送信モードと関連していることができる（例えば、LTEにおいて、1ビット・フィールドがアップリンク又はダウンリンク・リソースを示した)。
【０００９】
以下のPDCCH特性は、プライマリ局からのより高次のレイヤのシグナリングによってセカンダリ局において設定/再設定されることができる。
・DCIフォーマット(送信モードによって決まる)
・DCIフォーマット・サイズ(例えばCIFフィールドの追加/削除)
・PDCCHサーチ空間
・キャリア(キャリア集合、アンカー・キャリア又はハンドオーバのための更なるCC)
【発明の概要】
【発明が解決しようとする課題】
【００１０】
しかしながら、より高次のレイヤ(RRC)のシグナリングに特有の遅延のために、プライマリ局は、セカンダリ局が新たな設定をいつ適用するかについて正確には分からない。したがって、(例えば、特定の新たなDCIフォーマットを有する)PDCCHメッセージは、eNBによって送信されるが、UEによって(それが再設定をまだ適用していないという理由のために)受信されない可能性がある。同様に、新たな設定がeNBによって予想されるより以前に適用される場合に、PDCCHメッセージが失われる可能性がある。
【００１１】
上述した問題を軽減する通信方法を提案することが本発明の目的である。
【００１２】
たとえフォーマットの変更のための要求が受信されたとしても、セカンダリ局がDCIを受信することを可能にする方法を提供することが本発明の他の目的である。
【００１３】
複雑度(例えばブラインド復号の数)を増加させることなく(特にRRCシグナリング・メッセージを示す)PDCCHメッセージを失うことを回避することが本発明の他の目的である。
【課題を解決するための手段】
【００１４】
この目的のために、本発明によれば、プライマリ局と少なくとも１つのセカンダリ局との間で通信するための方法が提案され、当該方法は、
(a)セカンダリ局が第１構成のサーチ空間をサーチするように設定され、前記サーチ空間は複数のリソース・セットを有し、少なくとも１つのリソース・セットがセカンダリ局にメッセージを送信するために用いられ、
(b)第２構成のサーチ空間をサーチするために設定メッセージによってセカンダリ局を設定し、
(c)セカンダリ局が、設定メッセージの受信に応じて、セカンダリ局が第１構成のサーチ空間及び第２構成のサーチ空間を部分的にサーチする過渡的な設定モードに入る。
【００１５】
本発明は、プライマリ局と通信するための手段を有するセカンダリ局にも関し、当該セカンダリ局は、第１構成のサーチ空間をサーチするように設定され、前記サーチ空間は複数のリソース・セットを有し、少なくとも１つのリソース・セットは、前記セカンダリ局にメッセージを送信するために用いられることができ、当該セカンダリ局はさらに、第２構成のサーチ空間をサーチするようにセカンダリ局を設定するための設定メッセージを受信するための受信機、設定メッセージの受信に応じて、セカンダリ局が第１構成のサーチ空間及び第２構成のサーチ空間を部分的にサーチする過渡的な設定モードに入るようにセカンダリ局を設定するための制御手段を有する。
【００１６】
本発明の更に別の態様によれば、本発明の第１の態様による方法を実施するための手段を有するプライマリ局が提案される。
【００１７】
本発明のこれらの及び他の態様は、以下に記載される実施の形態から明らかであり、それらを参照して説明される。
【００１８】
ここで本発明は添付の図面を参照してさらに詳細に一例として記載される。
【図面の簡単な説明】
【００１９】
【図１】プライマリ局及び少なくとも１つのセカンダリ局を有する本発明によるシステムのブロック図。
【図２】本発明の第１の実施の形態におけるPDCCHを概略的に表すタイムチャート。
【図３】本発明の第２の実施の形態におけるPDCCHを概略的に表すタイムチャート。
【発明を実施するための形態】
【００２０】
本発明は、セルラネットワークのようなネットワークにおいて通信するための方法に関する。例えば、ネットワークは、図1に表されるようなUMTSネットワークであることができる。
【００２１】
図1を参照して、本発明による無線通信システムは、プライマリ局(BS又はeNodeB)100及び複数のセカンダリ局(MS又はUE)110を有する。プライマリ局100は、マイクロコントローラ(μC)102、アンテナ手段106に接続されるトランシーバ手段(Tx/Rx)104、送信される電力レベルを変更するための電力制御手段(PC)107及びPSTN又は他の適切なネットワークへの接続のための接続手段108を有する。各々のUE110は、マイクロコントローラ(μC)112、アンテナ手段116に接続されるトランシーバ手段(Tx/Rx)114及び送信される電力レベルを変更するための電力制御手段(PC)118を有する。プライマリ局100からモバイル局110への通信はダウンリンク・チャネルで行われ、一方、セカンダリ局110からプライマリ局100への通信はアップリンク・チャネルで行われる。この例では、ダウンリンク・チャネルは、PDCCHのような制御チャネルを有する。そのような制御チャネルは、複数のキャリアを通じて送信されることができる。これらのキャリアは、周波数キャリアによって、又は、本発明の変形例では、符号化変調によって、定められることができる。
【００２２】
このようなシステムでは、DCIは、各々が１つの送信モード専用である複数のフォーマットを有することができる。
【００２３】
物理ダウンリンク制御チャネル(PDCCH)は様々な目的を満たす。主として、それは、個々のUEにスケジューリング決定を伝達するために用いられる(すなわちアップリンク及びダウンリンクのためのスケジューリング割り当て)。PDCCHは、サブフレームの第１OFDMシンボル中に位置する。フレーム構造タイプ2では、PDCCHは、DwPTSフィールドの最初の2つのOFDMシンボルにマップされることもできる。サブフレームの第１OFDMシンボル中の特定のリソース要素で伝達される更なる物理制御フォーマット・インジケータ・チャネル（Physical Control Format Indicator Channel：PCFICH)は、PDCCHのためのOFDMシンボルの数(1、2、3又は4シンボルが可能である)を示すために用いられる。セル中のユーザの数及びPDCCH上で伝達されるシグナリング・フォーマットに応じて、PDCCH上の負荷が変化する場合があるので、PCFICHが必要である。
【００２４】
上記で説明されたように、PDCCH上で伝達される情報はダウンリンク制御情報又はDCIと呼ばれる。制御メッセージの目的に応じて、DCIの異なるフォーマットが定められる。一例として、DCIフォーマット1のコンテンツが下記の表1に示される。DCIフォーマット1は、空間多重化が用いられない(すなわちスケジューリング情報が１つの符号語のみに提供される)場合に、ダウンリンク共有チャネル・リソースの割り当てのために用いられる。提供される情報は、UEが、そのサブフレームにおいてPDSCHをどこで受信するか及びそれをどのように復号するかのリソースを特定することを可能にするために必要な全てを含む。リソース・ブロック割り当ての他に、これはさらに、変調及び符号化スキームに関する、並びにハイブリッドARQプロトコルに関する情報を含む。
【表１】
2013524668.tif 000003
【００２５】
DCIの巡回冗長チェック(CRC)は、UEにスケジューリングされたメッセージのアドレス指定を行うために用いられるUE識別によってスクランブルされる。
【００２６】
DCIフォーマットは、各々の送信モードに対応する。例えば、DCIフォーマット1Aは、１つの符号語PDSCH送信のリソース割り当てのコンパクトなシグナリングのために用いられる。DCIフォーマット1Bは、ランク1送信による閉ループ・プリコーディングを用いるPDSCH送信のリソース割り当てのコンパクトなシグナリングのために用いられる。同様に、PSDCH上のMU-MIMO送信のためのDCIフォーマット1Dが存在する。DCIフォーマットの網羅的なリストは、簡潔性のために省略される。
【００２７】
DCI(ダウンリンク制御情報)フォーマット0は、アップリンク・スケジューリング付与を伝達するためにPDCCHにおいて用いられ、下記の表２に示される。
【表２】
2013524668.tif 000004
【００２８】
本発明の実施の形態によれば、プライマリ局(又はeNB)及びセカンダリ局(又はUE)が確実に通信することができるために、スケジューリングにおいて若干の柔軟性を失うことが許容できることが認識される。本発明の現在の定義によれば、これは、UEが、柔軟性における若干の損失を伴うが、以前の設定と新たな設定の両方に従ってPDCCHメッセージを受信することが可能でなければならないことを必要とする。２つの特定の実施の形態、各々の設定のためのサーチ空間の実際のサイズを低減すること、及び、各々の設定が利用可能である時間の割合を低減することが考慮される。
【００２９】
(1)新たなDCIフォーマットの使用(又はCIFの変更(CIFはキャリア・インジケータ・フラグである（そのキャリアのうちの3ビット・インジケータは、DCIにおいて通知される付与されたリソースのためのものである）））が、既存のDCIフォーマットを置き換えるように設定される場合、サーチ空間のうちのいくつかが以前のDCIフォーマットに割り当てられ、サーチ空間のうちのいくつかが新たなDCIフォーマットに割り当てられるように(例えば、サーチ空間の最初の半分が以前のDCIフォーマットに対して、次の半分が新たなDCIフォーマットに対して)、UE固有のサーチ空間は分割される。再設定が確認されたとき又はタイマの経過後に、サーチ空間全体が新たなDCIフォーマットのために用いられる。この第１の実施の形態は、例えば以下で説明される図2に示される。
【００３０】
(2)代わりとして、UE固有のサーチ空間は、いくつかのサブフレームで以前のDCIフォーマットのために予約されて、他のサブフレームで新たなDCIフォーマットのために予約される(例えば、奇数のサブフレームは以前のDCIフォーマットのため、偶数のサブフレームは新しいDCIフォーマットのため)。再設定が確認されたとき又はタイマの経過後に、全てのサブフレームが新たなDCIフォーマットのために用いられる。この第２の実施の形態は、例えば以下で説明される図3に示される。
【００３１】
CIFに関して、相互キャリア・スケジューリングが設定されるときに、各々の付与は、どのキャリアに付与が適用されるかを示すために、このキャリア・インジケータ・フラグ(CIF)も含む。CIFフィールドは、既存のRel-8/Rel-9 DCIフォーマット(そしてRel-10において導入される新たなフォーマット)に追加される。一般に、キャリア毎のスケジューリングは以下の利点を有する。a)異なるコンポーネント・キャリア上で同じUEに対して異なるDCIフォーマットを可能にし、b)サブフレーム・ベースのコンポーネント・キャリア中の動的な負荷バランシングを容易にする。
【００３２】
これらの２つのソリューション(上記(1)及び(2))は、(新たな設定が確認されるまで、又はタイマが期限切れになるまで)RRCメッセージのような重要なデータのために以前の設定をeNBが用い続けることを可能にするが、適切なときにユーザ・データのために新たな設定を用いることに切り替えることができる。いくつかのユーザ・データが失われる場合、これは一般的に、必要ならば、他の手段によって回復されることができる。(例えば新たなキャリア上のスケジューリングに適応するために)UE固有のサーチ空間自体が変更される場合に、第１及び第２の実施の形態(1)及び(2)が適用されることができる。第１の実施の形態において、これは、UEは以前のサーチ空間の一部分及び新たなサーチ空間の一部分をサーチすることを意味する。これらの２つの部分は、予め設定されていることができるか、又は、新たなDCIフォーマットが通知されるときに通知されることができる。第２の実施の形態において、これは、以前のサーチ空間がいくつかのサブフレームにおいて用いられ、そして新たなサーチ空間が他のサブフレームにおいて用いられることを意味する。
【００３３】
第１及び第２の実施の形態(1)及び(2)は、PDCCHがモニタリングされるべきキャリアが変更される場合(例えばハンドオーバ、アンカー・キャリアの変更)、同様に適用されることができることに留意する必要がある。例えば、同時に２つのキャリア上のPDCCHをモニタリングすることがUEの機能の範囲内であるならば、第１の実施の形態が用いられることができる。第２の実施の形態は、異なるサブフレームにおいて異なるキャリア上のPDCCHをモニタリングすることを必要とする。
【００３４】
これらの実施の形態の例は、LTE-Aのようなシステムである。(例えばCIFフィールドを追加・除去する)RRCメッセージに使用されるDCIフォーマットに影響を及ぼす再設定が発生するとき、UEは、部分的に以前のフォーマット及び新たなフォーマットを用いる遷移フェーズに入る。この配分は、上記で説明された実施の形態(1)又は(2)のうちの１つでありえる。サーチ空間の量、又は、どのサブフレームが以前の及び新たなDCIフォーマットに用いられるかは、予め定められている。これは、シグナリングによることができるか又は規格によって定められることができる。(例えばRRCシグナリングによって)再設定が確認されると、新たな設定が完全に適用される。変形例では、新たな設定は、タイマの経過後に完全に適用される。タイマ継続時間は、シグナリングによって設定されることができるか、又は、規格によって定められることができる。
【００３５】
変形例において、以前の設定を部分的にモニタリングするセカンダリ局の遷移状態は、メッセージが新たな設定に従って受信されるとすぐに終了する。実際、この受信は、プライマリ局も遷移設定モードに入り、したがって、セカンダリ局が、以前の設定のメッセージを復号することにリソース又はエネルギーを浪費する必要がないことを意味する。新たな設定モードに切り替わったことをセカンダリ局が通知しない場合、プライマリ局は予め定められた継続時間の間、このモードで送信し続けることができる。
【００３６】
図2の例で分かるように、考慮されるセカンダリ局に対して、第１設定モードIにおけるサーチ空間201は、例えばキャリア210の第１セットにあり、サーチ空間202は、第２設定モードIIの間、キャリア220の第２セットにある。表現の明確性のために、２つのモード間の差異は、キャリアのセットにある。しかしながら、これらの実施の形態は、この種の差異に制限されず、フォーマットを定めるパラメータのいずれであることもできる。設定メッセージの受信で始まる遷移設定フェーズTPの間、セカンダリ局は、キャリア210上のサーチ空間201の一部201'、及び、サーチ空間202の一部202'を、同時に、すなわち同じサブフレームSFの間、サーチする。これらの部分は、説明されたように通常の設定モードにおいてサーチされるサブスペースのサブセットであることができる。しかし、これらは、これらのサブスペースの一部であることもできる。さらに、サーチ空間の部分の状況に応じて、セカンダリ局がキャリア210及び220の両方のセットを同時にリスンすることもあり得る。例えば予め定められた継続時間の後又は第２構成サーチ空間におけるメッセージの受信の後、遷移設定フェーズTPが終了すると、セカンダリ局は、第２構成の全てのサーチ空間をリスンする。この例では、セカンダリ局は、TPにおいて第２構成サーチ空間の一部のみをリスンすることに留意する必要がある。しかしながら、この実施の形態の変形例では、それは、第１構成サーチ空間を部分的に、そして第２構成のサーチ空間の全てのセットをリスンすることができる。
【００３７】
第２の実施の形態の例が図3に示される。図3の例から分かるように、考慮されるセカンダリ局に対して、第１設定モードIにおけるサーチ空間301は、例えばキャリア310の第１セットにあり、サーチ空間302は、第２設定モードIIの間、キャリア320の第２セットにある。設定メッセージの受信で始まる遷移設定フェーズTPの間、セカンダリ局は、いくつかのサブフレームにおいてキャリア310上のサーチ空間301'をサーチし、残りのサブフレームの間、サーチ空間302'をサーチする。したがって、この特定の例では、セカンダリ局は、同時に又は同じサブフレームにおいて、キャリア210及び220の１つのセットのみをリスンする。そしてこの遷移設定モードは、同時にそれほど多くのキャリアをリスンすることができないセカンダリ局にとって好ましい場合がある。例えば予め定められた継続時間の後、又は、第２構成サーチ空間におけるメッセージの受信の後、遷移設定フェーズTPが終了すると、セカンダリ局は第２構成の全てのサーチ空間をリスンする。この例では、セカンダリ局は、いくつかのサブフレーム(例えばTPのうちの奇数番号をつけられたサブフレーム)のみにおいて、第２構成サーチ空間をリスンすることに留意する必要がある。しかしながら、この実施の形態の変形例において、それは、いくつかのサブフレームのみにおいて第１構成サーチ空間をリスンし、そしてTPの全てのサブフレームにおいて第２構成のサーチ空間の全てのセットをリスンすることができる。
【００３８】
再設定が完了されるまで、プライマリ局は、サーチ空間の適切な部分又は適切なサブフレームにおいて以前のフォーマットに従ってPDCCHメッセージを送信することができる。したがって、プライマリ局は、TPの間に２回、TPの第１構成部分において１回、及び、TPの第２構成部分において１回、信号を送信することができる。
【００３９】
上記実施例の更なるバリエーションが可能である。これらの変形例において、プライマリ局は、RRCシグナリング(又は他のより高次のシグナリング)を介したRRCConnectionReconfigurationメッセージの送信によって、再設定を開始する。このメッセージの受信に応じて、セカンダリ局は、再設定を一旦完了すると、より高次のレイヤのシグナリングを介してプライマリ局にRRCConnectionReconfigurationCompleteメッセージを送信する。プライマリ局がRRCConnectionReconfigurationCompleteメッセージを受信しない場合、RRCConnectionReconfigurationメッセージの再送信が実行されることができる。このRRCConnectionReconfigurationCompleteメッセージの受信によってのみ、プライマリ局は、セカンダリ局がその再設定を終えたことを確認する。
【００４０】
これらの実施の形態の第１の変形例において、サーチ空間の第１又は第２構成のうちの１つでは、UE固有のサーチ空間における同じキャリア・スケジューリングのための全てのDCIフォーマットにいかなるCIFも提供されない。CIFは、同じキャリア上のスケジューリングのために付与されない。そして、RRCシグナリングは、CIF初期化/リリース手順の間に処理されることができる。このオプションは、全てのCC又は少なくとも１つのCCのために適用されることができる。
【００４１】
これらの実施の形態の他の変形例において、第１又は第２構成のうちの１つでは、UE固有のサーチ空間における同じキャリア・スケジューリングのためのDCIフォーマット0/1AのためにはいかなるCIFも付与されないが、他のDCIフォーマットがCIFを有する。Rel-8において、DCIフォーマット0/1Aは、フォールバック・モード動作のために定められ、同じように、DCIフォーマット0/1Aのみが、不確定なCIF初期化/リリース期間の間に用いられることができる。第１の変形例と比較される利点は、BD(ブラインド復号)低減の更なる可能性である。例えば、DL及びULブラインド復号試行の２つのセットのうち、CIFを有するDL DCIフォーマットは、相互キャリア・スケジューリングのための他のDL DCIフォーマットと統一されたサイズを有することができ、これは、共有されたサーチ空間におけるブラインド復号試行をKだけ低減するために役に立つことができ、Kは、所与のサーチ空間におけるPDCCH候補位置の数である。
【００４２】
上記実施例の更なるバリエーションによれば、RRCConnectionReconfigurationCompleteメッセージがUEによって送信されるまで、CIFの再設定を遅延させることが提案される。これは、RRCConnectionReconfigurationCompleteメッセージ(及びRRCConnectionReconfigurationメッセージの任意の再送信)に対するリソース割り当てに関するPDCCHがCIFなしで送信されるという、UE及びeNBにおける共通の理解を可能にする。これは、
・再構成を適用する際の更なる遅延
・HARQ動作のために、RRCConnectionReconfigurationCompleteメッセージがeNBによって正確にはいつ受信されるのかについての若干の不確実さが存在すること
・これは、UEが再設定を実施するための一般的な15msのタイミング要件に違反すること
のような、いくつかの考えられる短所を有する。
【００４３】
上記実施例の同様のバリエーションにおいて、RRCConnectionReconfigurationCompleteメッセージがUEによって送信されるまで、フォーマット0/1AのためのCIFの再設定を遅延させることが可能である。フォーマット0/1Aの他のDCIフォーマットのための再設定は、遅延なしで利用可能である。いくつかのケースでは、CIFのないフォーマット0/1Aと同じサイズを有するCIFを伴う他のDCIフォーマットとの間のUE固有のサーチ空間における混同が存在する可能性がある。CIFのないDCIフォーマット0/1Aと同じサイズを有するCIFを伴うDCIフォーマットに関する曖昧性の問題が潜在的に存在するので、これは、いくつかの考えられる短所を有する(例えば、CCが異なる帯域を有する場合)。曖昧性を回避するために、(再設定の間の)スケジューリング制限又はパディング・ソリューションが考慮されることができる。
【００４４】
上記実施例の更なるバリエーションによれば、いくつかのUE固有のサーチ空間にCIFの再設定を直ちに適用するが、DCIフォーマットがCIFの新たな値とともに受信されるまで、サーチ空間の残りの部分のためのCIFの再設定を遅延させることが提案される。これは、RRCConnectionReconfigurationCompleteメッセージ(及びRRCConnectionReconfigurationメッセージの任意の再送信)のためのリソース割り当てが(サーチ空間の適切な部分において)CIF有り無しで送信されることを可能にする。それはさらに、最小限の遅延を伴う新たな設定による相互キャリア・スケジューリングを可能にする。これは、いくつかの条件の下で以下を引き起こす場合がある。
・サーチ空間が分割されるが、スケジューリング柔軟性における若干の低減
・UEがCIFの新たな値を有するDCIフォーマットをいつ最初に正しく受信するかに関するeNBにおける若干の不確実さ。しかしながら、eNBは、UEが新たな設定をサーチ空間全体に適用したことが確かになるまで、サーチ空間の一部のみを用い続けることができる
【００４５】
上記実施例のさらに別の変形例において、フォーマット0/1AがCIFの新たな値とともに受信されるまで、セカンダリ局は、(UESSSにおいて)CIF有り及び無しの両方のDCIフォーマット0/1Aをモニタリングする。これは、eNBがCIF有りのフォーマット0/1Aを用いるかCIF無しのフォーマット0/1Aを用いるかによらず、RRCConnectionReconfigurationCompleteメッセージ(及びRRCConnectionReconfigurationメッセージの任意の再送信)のためのリソース割り当てが送信されることを可能にする。最小限の他の規格変更が必要である。このソリューションは、若干の考えられる短所を有する。このソリューションは、フォーマット0/1Aの両方のバージョンをモニタリングするための更なるブラインド復号を意味するが、全ての設定されたDCIフォーマットの両方のバージョンをモニタリングするための更なるブラインド復号はほとんど必要とされない。しかしながら、この更なる処理がキャリア集合をサポートするUEの能力の範囲内である可能性がある。しかしながら、もしそうでなければ、ブラインド復号の総数は、再設定プロセスのTPの間、新たに設定されたキャリアのための他のDCIフォーマットを用いて任意のスケジューリングを制限することによって維持されることができる。
【００４６】
これらの実施の形態の他の変形例において、DCIフォーマットがCIFの新たな値とともに受信されるまで、セカンダリ局は、交互のサブフレームで(UESSSにおいて)CIFを有する及びCIFを伴わないDCIフォーマットをモニタリングする。これは、eNBがCIF有りのフォーマット0を用いるかCIF無しのフォーマット0を用いるかによらず、RRCConnectionReconfigurationCompleteメッセージ(及びRRCConnectionReconfigurationメッセージの任意の再送信)のためのリソース割り当てが送信されることを可能にする。それはさらに、最小限の遅延を伴う新たな設定による相互キャリア・スケジューリングを可能にする。この後者ソリューションは、さらに、いくつかの条件の下で、以下をもたらす可能性がある。
・交互のサブフレームを用いるが、スケジューリング柔軟性における若干の低減
・UEがCIFの新たな値を有するDCIフォーマットをいつ最初に正しく受信するかに関するeNBにおける若干の不確実さ。しかしながら、eNBは、UEが新たな設定を全てのサブフレームに適用したことが確かになるまで、１つおきのサブフレームのみを用い続けることができる
【００４７】
上記実施例は、共に適用されることができ、(UEの観点から)共通のサーチ空間に適用されることができることに留意する必要がある。
【００４８】
本発明は、UMTS LTE及びUMTS LTE-Advancedのようなモバイル遠距離通信システムに適用可能であるが、さらに、いくつかの変形例では、動的に又は少なくとも半永続的にリソースの割り当てが行われる任意の通信システムに適用可能である。
【００４９】
本願明細書及び請求の範囲において、単数で表現された要素は、そのような要素が複数存在することを除外しない。さらに、「有する」「含む」などの用語は、挙げられたもの以外の他の要素又はステップの存在を除外しない。
【００５０】
請求の範囲において括弧に参照符号が含まれることは、理解を助けることを目的としており、制限することを意図しない。
【００５１】
本開示を読むことから、他の変更が当業者にとって明らかとなる。そのような変更は、無線通信の技術において既に知られている他の特徴を含むことができる。
【図１】
2013524668.tif 000005
【図２】
2013524668.tif 000006
【図３】
2013524668.tif 000007
【国際調査報告】
2013524668.tif 000008
2013524668.tif 000009